(57)【要約】【課題】構造が簡単であって処理能力がロータリドラムの容量の割に大きく、処理する原料が限定されない間接加熱式横型回転処理装置を提供する。【解決手段】ロータリドラム（２）と、そのロータリドラムの外周を加熱する高温加熱体（１０）を備えた間接加熱式横型回転処理装置（１）において、ロータリドラム（２）の軸心又はその近傍を貫通する１本の通気管（７，２０）を設け、その通気管を高温ガス源に接続し、ロータリドラム（２）の内周面には原料をかき上げるリフタ（１３）を形成した。【選択図】        図１
2005016908.tif 000002
【特許請求の範囲】
【請求項１】
ロータリドラム（２）と、前記ロータリドラムに外嵌固定したリング（３）を介して前記ロータリドラムを支持しかつ回転させるローラ（４）と、前記ロータリドラムの両側の端面部をシールする両側の端部部材（５，６）と、前記ロータリドラムの外周を加熱する高温加熱体（１０）と、前記ロータリドラム内に原料を供給する投入機構（９）と、前記ロータリドラムから出る原料を排出する排出機構（１４）と、前記ロータリドラムの軸心又はその近傍を貫通して両側の前記端部部材に支持される１本の通気管（７，２０）とを備え、前記通気管の入口（１７，２１）は高温ガス源に接続され、前記ロータリドラムの内周面には原料をかき上げるリフタ（１３）が配設されることを特徴とする間接加熱式横型回転処理装置。
【請求項２】
通気管（２０）は外管部（２３）と内管部（２４）からなる内外二重管であり、一方の端部部材（６）の外側に位置する前記通気管の一端部（２５）において、前記外管部に入口（２１）が、前記内管部に出口（２２）がそれぞれ設けられ、ロータリドラム（２）内に位置するの他端部（２６）において、前記外管部と前記内管部が連通することを特徴とする請求項１記載の間接加熱式横型回転処理装置。
【請求項３】
通気管（７）の上周面にリフタ（１３）から落ちる原料を受けるリム（１２）が形成されることを特徴とする請求項１又は２記載の間接加熱式横型回転処理装置。
【請求項４】
通気管（７）両側の端部部材（５、６）に回動可能に支持され、前記通気管を回動させる回動機構（１６）が付設されることを特徴とする請求項３記載の間接加熱式横型回転処理装置。
【発明の詳細な説明】
【０００１】
【発明の属する技術分野】
本発明は、原料の間接加熱によるガス化又は炭化等の熱分解処理に適した間接加熱式横型回転処理装置に関する。
【０００２】
【従来の技術】
従来の間接加熱式横型回転処理装置は、ロータリドラムの外周に電気ヒータ、ガスバーナ等からなる高温加熱体を設けて、外側から加熱する方式であるか、又はロータリドラムの内部に多数本の蒸気又は熱風加熱管を配置して内側から加熱する方式であった。
【０００３】
処理する原料はロータリドラム内において横断面割円形の原料流を形成するため、外側から加熱する方式は、原料に対する伝熱面が比較的小さいため、ロータリドラムの全長を大きくないと十分な処理能力を確保することができないという問題があった。
【０００４】
又、内側から加熱する方式は、多数本の加熱管を回転円筒内に通すため、構造が複雑になるだけでなく、ロータリドラム内の原料の流れを妨げやすいため、処理する原料が制限されるという問題があった。
【０００５】
【発明が解決しようとする課題】
本発明は、上記問題を解決するためになされたものであり、その課題は、全長を大きくしなくても十分な処理能力を有し、構造が簡単で処理する原料も制限されない間接加熱式横型回転処理装置を提供することである。
【０００６】
【課題を解決するための手段】
前記課題を解決するため、本発明が採用する手段は、間接加熱式横型回転処理装置のロータリドラムの外周部に高温加熱体を設け、ロータリドラムの軸心又はその近傍に１本の通気管を通し、ロータリドラムを外部の高温加熱体を介して外部から加熱すると共に、通気管に高温ガスを送入して内部からも加熱することにある。
【０００７】
ロータリドラムの内周面に原料をかき上げるリフタを形成し、かき上げた原料を通気管の外周面上に落下させて原料を伝熱加熱する。通気管の上周面にリフタから落下する原料を受け止めるリムを形成し、原料を通気管の上周面に積もらせて伝熱効果を高めることも可能である。この場合は、通気管を適時に半回転往復運動させ、通気管の上周面に積もった処理原料を振り落とす回動機構を設けることが望ましい。
【０００８】
通気管の入口と出口は、通気管が一重管の場合、装置の両側に分かれる。通気管が内外二重管の場合、装置の一方の側において、入口は内外二重管の外管部に、出口は内管部に設けて高温ガスを往復させ、通気管外周面の温度低下を少なくする。
【０００９】
【発明の実施の形態】
本発明を図面に示す実施例に基づいて説明する。
【００１０】
図１及び図２は本発明第１実施例の間接加熱式横型回転処理装置の縦断面図及び横断面図である。
【００１１】
間接加熱式横型回転処理装置１は、ロータリドラム２と、ロータリドラム２に外嵌固定したリング３と、リング３を介してロータリドラム２を支持して矢印方向に回転させるローラ４と、ロータリドラム２の両端面をシールする端部部材５，６と、原料投入側端部部材５に設けた原料の投入機構９と、排出側端部部材６に設けた原料の排出機構１４と、ロータリドラム２の軸心又はその近傍を貫通する通気管７と、ロータリドラム２を外側から加熱する電気ヒータ又はガスバーナからなる高温加熱体１０を備える。
【００１２】
通気管７は外周面にフィン２８を有する一重管であり、両端部部材５，６に相互回動可能に支持される。通気管７の入口１７は装置の排出側に、出口１８は原料投入側にそれぞれ位置する。入口１７は図外の部分回転可能な管継手を介して高温ガス源１９に、出口１８は図外の予熱装置にそれぞれ接続される。
【００１３】
通気管７の一端部に外嵌固定したリング１５を介して通気管７を適時半回転往復運動させる回動機構１６が設けられる。ローラ４、端部部材５，６、回動機構１６はベース８に取り付けられる。
【００１４】
図２に示すように、高温加熱体１０により外周面から加熱されるロータリドラム２の内周面には多数のリフタ１３が周方向に配設される。周方向に並ぶリフタ１３の先端は交互に反対の周方向に曲がるから、ロータリドラム２のいずれの方向に回転しても、原料をかき上げて通気管７の上周面に振り落とすことができる。通気管７の上周面にはリフタ１３から落ちる原料を受け止めるリム１２が配設されているから、通気管７の上に落ちた原料は積み重なる。通気管７の上に積もった原料は、回動機構１６を駆動して通気管７を半回転させると、再びロータリドラム２の内周面に落下する。
【００１５】
次に、この間接加熱式横型回転処理装置１の動作について説明する。
【００１６】
高温加熱体１０を作動させてロータリドラム２を外周から加熱すると共に、通気管７に高温ガスを通してロータリドラム２の内部を加熱する。ローラ４を駆動してロータリドラム２を回転させ、原料投入機構９を通して原料をロータリドラム２内に投入する。
【００１７】
ロータリドラム２内に投入された原料は、図２に示すように、ロータリドラム２の回転方向側が高い割円形横断面の原料流１１を形成して排出側端部部材６へ進行する。この間に、原料流１１はロータリドラム２の内周面からの伝熱加熱を受ける。原料流１１はロータリドラム２の内周面及び通気管７の外周面から輻射加熱も受けるが、伝熱加熱に比較すると輻射加熱の効果は少ない。
【００１８】
ロータリドラム２のリフタ１３がかき上げた原料は落下するまでロータリドラム２の内周面から伝熱加熱を受け、ついで、通気管７の上周面に落下してそこに積もり、通気管７からの伝熱加熱を受ける。通気管７の上周面に積もった原料は、回動機構１６により通気管７が半回転すると、再び、ロータリドラム２の内周面に落下し排出側端部部材６へ進行する。
【００１９】
このように、この間接加熱式横型回転処理装置１は、通気管７が１本であるから、従来の外部加熱方式のものと同様に簡単な構造であるが、原料をロータリドラム２の内周面と通気管７の外周面の双方からの伝熱加熱により処理するから、ロータリドラム２の容量に比して高い処理能力を有する。又、１本の通気管は軸心又はその近傍を貫通するから、通気管７がロータリドラム２内の原料流１１の進行を妨げるおそれはない。したがって、処理する原料に制限はなく、どのような原料でも処理可能である。
【００２０】
【実施例】
次に、第２実施例について説明する。図３及び図４は第２実施例の縦断面及び横断面である。
【００２１】
第２実施例の通気管２０は、内外二重管であり、両側の端部部材５，６に固定支持される。したがって、通気管２０を回動させる回動機構は具備しない。又、通気管２０の外周面にリムは形成されていない。
【００２２】
通気管２０の一端部２５は排出側端部部材６の外側に位置し支台２７に支持される。その一端部２５において内外二重管の外管部２３に入口２１を、内管部２４に出口２２をそれぞれ設ける。通気管２０の外管部２３と内管部２４はロータリドラム２の入口側端面近くにおいて連通する。通気管２０の内部とは遮断された他端部２６が原料投入側端部部材５に支持される。
【００２３】
上記以外の構成は前記実施例とほぼ同じである。
【００２４】
通気管２０に送入された高温ガスは往路に外管部２３を復路に内管部２４を通過するから、通気管２０の外周面の温度低下は小さい。ロータリドラム２が矢印方向に回転すると、原料はリフタ１３にかき上げられ、通気管２０の外周面上に落下する。通気管にリムがないため、原料が通気管の上に多く積もることはないが、原料は通気管２０の外周面を滑るときに十分に伝熱加熱を受ける。又、通気管２０からの輻射加熱も比較的大きい。
【００２５】
上記以外の効果は前記実施例とほぼ同じである。
【００２６】
第２実施例は内外二重管の通気管を端部部材に固定支持したが、内外二重管の通気管を端部部材に回動可能に支持し、通気管を適時回動させる回動装置を設けると共に、通気管の上周面に原料を受け止めるリムを形成することも可能である。
【００２７】
【発明の効果】
上記のとおり、従来の構造が簡単な外部加熱方式の間接加熱式横型回転処理装置は、ロータリドラムの全長を大きくしないと処理能力が不十分であり、内部加熱方式のものは十分な処理能力を有するが、ロータリドラムの内部に多数の加熱管を配設するため、構造が複雑な上に処理する原料が制限される。
【００２８】
これに対し、本発明の間接加熱式横型回転処理装置は、ロータリドラムを外部から加熱するだけでなく、内部の軸心又はその近傍を通る通気管に高温ガスを送入して内部からも加熱する方式であるから、次のような優れた効果を奏する。
１．通気管は一本のみであるから、構造は比較的簡単である。
２．ロータリドラムの容量に比して処理能力が高い。
３．通気管は軸心又はその近傍を通るから、処理する原料に制限はない。
【図面の簡単な説明】
【図１】本発明第１実施例の間接加熱式横型回転処理装置の縦断面図、
【図２】第１実施例の横断面図、
【図３】第２実施例の縦断面図、
【図４】第２実施例の横断面図、
【符号の説明】
１：間接加熱式横型回転処理装置
２：ロータリドラム
３：リング
４：ローラ
５，６：端部部材
７：通気管
８：ベース
９：原料投入機構
１０：高温加熱体
１１：原料流
１２：リム
１３：リフタ
１４：排出機構
１５：リング
１６：回動機構
１７：入口
１８：出口
１９：高温ガス源
２０：通気管
２１：入口
２２：出口
２３：外管部
２４：内管部
２５：一端部
２６：他端部
２７：支台
２８：フィン
【図１】
2005016908.tif 000003
【図２】
2005016908.tif 000004
【図３】
2005016908.tif 000005
【図４】
2005016908.tif 000006